(57)【要約】【課題】複数の電線を一括して固定することを簡単に行い得るようにする。【解決手段】電線固定具１００を、硬質ゴムなどの柔軟な材料からなる板状部材１１０で構成する。板状部材１１０に、電線を通した状態で保持する保持穴１１１ａ〜１１１ｄを形成する。この保持穴１１１ａ〜１１１ｄの直径を電線の直径と同じかあるいは若干小さくし、この保持穴に通された電線を安定して保持可能とする。板状部材１１０に、保持穴１１１ａ〜１１１ｄのそれぞれに周縁部から電線を案内する切り込み１１２ａ〜１１２ｄを形成する。保持穴１１１ａ〜１１１ｄにそれぞれ電線を保持する際、当該電線を周縁部から切り込み１１２ａ〜１１２ｄを通して案内するだけでよい。板状部材１１０に、保持穴１１１ａ〜１１１ｄにそれぞれ保持すべき電線の相を表示する表示部１１３ａ〜１１３ｄを設ける。【選択図】図１
2008017619.tif 000002
【特許請求の範囲】
【請求項１】
柔軟な材料からなる板状部材を有し、
上記板状部材に、電線を通した状態で保持する複数個の保持穴と、該複数個の保持穴のそれぞれに周縁部から上記電線を案内する複数個の切り込みとが形成されている
ことを特徴とする電線固定具。
【請求項２】
電柱に固定された電線支持具に複数本の電線を一括して取り付ける際に該複数本の電線を一括して仮固定する電線固定具であって、
柔軟な材料からなる板状部材を有し、
上記板状部材に、上記電線を通した状態で保持する複数個の保持穴と、該複数個の保持穴のそれぞれに周縁部から上記電線を案内する複数個の切り込みとが形成されている
ことを特徴とする電線固定具。
【請求項３】
上記板状部材に、上記複数個の保持穴に対応して、それぞれの保持穴に保持すべき電線の相を表示する表示部が形成されている
ことを特徴とする請求項２に記載の電線固定具。
【請求項４】
上記板状部材に連結部材を介して連結されている落下防止用の留め具をさらに有する
ことを特徴とする請求項２に記載の電線固定具。
【請求項５】
電柱に固定された電線支持具に複数本の電線を一括して取り付ける方法であって、
複数個の保持穴と、該複数個の保持穴のそれぞれに周縁部から上記電線を案内する複数個の切り込みとが形成されている柔軟な材料からなる板状部材を用い、上記複数本の電線をそれぞれ該板状部材の保持穴に切り込みを通して案内して保持する第１のステップと、
上記第１のステップで上記板状部材の複数の保持穴に上記複数本の電線を保持した後、該複数本の電線を上記電線支持具に取り付ける第２のステップと、
上記第２のステップで上記複数本の電線を上記電線支持具に取り付けた後、該複数本の電線から上記板状部材を取り外して撤去する第３のステップと
を備えることを特徴とする電線支持具への電線取付方法。
【発明の詳細な説明】
【技術分野】
【０００１】
この発明は、例えば電柱に固定された電線支持具に複数本の電線を一括して取り付ける際の補助具として使用して好適な電線固定具および電線支持具への電線取付方法に関する。詳しくは、この発明は、柔軟な材料からなる板状部材に、電線を通した状態で保持する複数個の保持穴と、この複数個の保持穴のそれぞれに周縁部から電線を案内する複数個の切り込みとを形成した構造とすることによって、複数本の電線を一括して固定することを簡単に行い得るようにした電線固定具等に係るものである。
【背景技術】
【０００２】
図７は、架空配電線路の電柱部分の構成例を示している。配電柱２０１には、図示しない高圧配電線および低圧配電線２０２が架設されている。また、この配電柱２０１には、変圧器２０３，２０４が設置されている。これら変圧器２０３，２０４はいずれも単相変圧器あってＶ結線されており、単相と三相の両負荷に同時に電力を供給できるようにされている。
【０００３】
変圧器２０３は三相および単相の両負荷に電力を供給する側の変圧器であるいわゆる共用変圧器を構成しており、変圧器２０４は三相負荷だけに電力を供給する側の変圧器であるいわゆる動力専用変圧器を構成している。そのため、変圧器２０３の容量は変圧器２０４の容量より大きくなっている。これら変圧器２０３，２０４により、高圧三相３線式が低圧三相４線式に変換される。
【０００４】
また、配電柱２０１には、図示しない高圧カットアウトを支持するための支持アーム２０５が設置されている。高圧カットアウトは、変圧器２０３，２０４の高圧側の電気を切るスイッチであって、中にヒューズが入っている。高圧線に接続されている高圧引下線（図示せず）は、上述した高圧カットアウトを介して、トランス２０３，２０４の高圧側の端子に接続されている。
【０００５】
変圧器２０３，２０４の低圧側の端子は、低圧引上線２０６を介して低圧配電線２０２に接続されている。また、これら変圧器２０３，２０４の低圧側の端子は、低圧引下線２０７を介して、図示しない引き込み線に接続されている。
【０００６】
図８は、電柱部分の結線を示している。三相３線式６６００Ｖの高圧線が、Ｖ結線された変圧器２０３，２０４の高圧側の端子に接続される。また、変圧器２０３，２０４の低圧側の端子が三相４線式１００Ｖ／２００Ｖの低圧線（低圧引上線２０６、低圧引下線２０７）に接続される。なお、変圧器２０３の低圧側の中点は接地され、ここに接地線が接続される。
【０００７】
図１に戻って、また、配電柱２０１には電線支持具２０８が自在バンド２０９を用いて固定されている。上述した低圧引上線２０６および低圧引下線２０７は電線支持具２０８に取り付けられ、支持されている。
【０００８】
図９の分解斜視図および図１０の側面図は、特許文献１に記載されている、電線支持具２０８の構成例を示している。電線支持具２０８は、３枚の平板状絶縁板１１，１２，１３と、固定金具４０と、支柱５０とを有している。平板状絶縁板１１，１２，１３は、例えば硬質プラスチック製の絶縁材料で形成されており、それぞれの中心付近に各貫通孔２１，２２，２３が設けられていると共に、それぞれの互いに対向する面に各々２つの電線把持用溝３０が設けられている。
【０００９】
固定金具４０は、鉄製の平板をコの字状に屈曲して形成したものであり、基台４１の中央に貫通孔４３が設けられており、屈曲した両側面の縁はコの字状に切りかかれて当接部４２，４２が形成されている。この貫通孔４３は、電柱巻回バンド（図示せず）に設けられたボルト部を挿通できる大きさとされ、上下の当接部４２、４２の間隔はこの電柱巻回バンドの幅に合うようにされている。
【００１０】
支柱５０は、鉄製の丸棒であり、その一端が固定金具４０の基台４１に溶接されて固定され、その他端にナット部６２と螺合するボルト部６１が形成されている。また、この支柱５０の中間にストッパー用の受け金具５５が溶接されて固定され、各平板状絶縁板１１，１２，１３がこの受け金具５５に圧接して取り付けられる構成とされている。
【００１１】
この電線支持具２０８は、平板状絶縁板１１，１２，１３の各貫通孔２１，２２，２３および受け金具５６の貫通孔、さらにはワッシャ６３に支柱５０が挿通され、他端のボルト部６１にナット部６２が緩く螺合された状態におかれる。この電線支持具２０８は、使用時には、上述したように配電柱２０１に自在バンド（電柱巻回バンド）２０９を用いて固定される。そして、ナット部６２が緩められ、平板状絶縁板１１，１２，１３の間に生じた隙間から各電線把持用溝３０に低圧引上線２０６あるいは低圧引下線２０７の各相の電線が配される。
【００１２】
その後、ボルト部６１に螺合するナット部６２が締め付けられ、これらの平板状絶縁板１１，１２，１３は受け金具５５に向かって圧接され、各電線Ｌは、１本ずつ各電線把持用溝３０に配された状態で、平板状絶縁板１１，１２，１３に挟まれて同時に固定される。
【００１３】
なお、図９に示す電線支持具２０８では、平板状絶縁板１１，１２の間に弾性体の押圧部材７０が配されている。この場合、平板状絶縁板１１、１２の各電線把持用溝３０にそれぞれの電線Ｌを配して、この弾性体の押圧部材７０で平板状絶縁板１２を受け金具５５に向かって押送すると、この押圧部材７０は弾性により平板状絶縁板１２を受け金具５５に向かって押し付け、しかも支柱５０上の位置を保つので、この平板状絶縁板１１、１２は押し付けられた状態が保たれる。
【００１４】
したがって、平板状絶縁板１１，１２の各電線把持用溝３０に配されたそれぞれの電線Ｌは平板状絶縁板１１，１２に挟まれて仮固定される。そのために、軸断面が円形の１本の支柱５０を用いても、作業中に作業者がこの平板状絶縁板１１，１２や各電線Ｌに触れても平板状絶縁板１１，１２は回転せず、各電線Ｌも外れない。
【特許文献１】特開平８−２３７８３８号公報
【発明の開示】
【発明が解決しようとする課題】
【００１５】
上述したように、架空配電線路の電柱部分において、トランス２０３，２０４の低圧側の端子から引き下げられる低圧引下線２０７は配電柱２０１に固定された電線支持具２０８に取り付けられる構造となっている。そのため、低圧引下線２０７を新設する場合、あるいはこの低圧引下線２０７を張り替える場合には、この低圧引下線２０７を構成する４線を電線支持具２０８に取り付けなければならない。
【００１６】
しかし、上述したように電線支持具２０８はトランス２０３，２０４の低圧側の端子から引き下げられる低圧引下線２０７としての４線を一括して取り付けるものであり、この４線は取り付けを行う前にはばらばらな状態にあることから、取り付けに手間がかかっている。
【００１７】
この発明の目的は、複数の電線を一括して固定することを簡単に行い得る電線固定具を提供することにある。
【課題を解決するための手段】
【００１８】
この発明の概念は、
柔軟な材料からなる板状部材を有し、
上記板状部材に、電線を通した状態で保持する複数個の保持穴と、該複数個の保持穴のそれぞれに周縁部から上記電線を案内する複数個の切り込みとが形成されている
ことを特徴とする電線固定具にある。
【００１９】
この発明においては、柔軟な材料からなる板状部材を有している。柔軟な材料としては、例えば型くずれしないもの、例えば硬質ゴムが用いられる。また、この板状部材の形状は、全体として四角形あるいは円形等とされる。
【００２０】
この板状部材には、電線を保持した状態で保持する複数個の保持穴が形成されている。この保持穴は例えば円形に形成され、その直径が電線の直径と同じかあるいは若干小さくされる。これにより、当該保持穴に通された電線は安定して保持される。また、この板状部材には、複数個の保持穴のそれぞれに周縁部から電線を案内する複数個の切り込みが形成されている。上述したように複数個の保持穴にそれぞれ複数本の電線を保持する際、当該複数本の電線はそれぞれ板状部材の周縁部から切り込みを通して保持穴に案内される。
【００２１】
この発明の電線固定具は、例えば電柱に固定された電線支持具に複数本の電線を一括して取り付ける際に、当該複数本の電線を一括して仮固定するために使用される。例えば、単相３線式１００Ｖ／２００Ｖの低圧線を固定する際には、当該仮固定の対象は３線である。また例えば、三相４線式１００Ｖ／２００Ｖの低圧線を固定する際には、当該仮固定の対象は４線である。
【００２２】
例えば、板状部材には、複数個の保持穴に対応して、それぞれの保持穴に保持すべき電線の相を表示する表示部が形成される。表示は、例えば文字、色等で行われる。例えば、三相４線式１００Ｖ／２００Ｖの低圧線を構成する４線を一括して仮固定するものにあっては、４個の保持穴にそれぞれ対応した表示部には、動力専用相、共用相、共用相、接地相のそれぞれを示す文字、あるいは色の表示がされる。このように、保持穴に保持すべき電線の相を表示する表示部が形成されていることで、各相の電線を当該電線固定具に仮固定した後、ユーザは各電線の相を容易に識別可能となる。
【００２３】
また例えば、板状部材には、連結部材を介して、落下防止用の留め具、例えばクリップが連結されていてもよい。この留め具を用いることで、例えば電柱上で各電線を、切り込みを通して板状部材の保持穴に案内する作業を行う際等、当該板状部材が誤って落下することを防止可能となる。
【００２４】
このように、複数の電線を一括して固定する場合、それぞれの電線を、切り込みを通して板状部材の保持穴に案内するだけでよく、簡単に行い得る。また、電柱に固定された電線支持具に複数本の電線を一括して取り付ける際に、この発明の電線固定具を用いて複数本の電線を一括して仮固定することで、複数本の電線がまとまった状態となり、当該複数の電線を電線支持具に取り付ける作業の手間がかからなくなる。
【発明の効果】
【００２５】
この発明によれば、柔軟な材料からなる板状部材に、電線を通した状態で保持する複数個の保持穴と、この複数個の保持穴のそれぞれに周縁部から電線を案内する複数個の切り込みとを形成した構造であり、複数本の電線を一括して仮固定することを簡単に行うことができる。
【発明を実施するための最良の形態】
【００２６】
以下、図面を参照しながら、この発明の実施の形態について説明する。図１は、実施の形態としての電線固定具１００の構成を示している。この電線固定具１００は、電柱に固定されている電線支持具に、トランスから引き下げられた三相４線式の低圧線を構成する４線を取り付ける際に、当該４線を一括して仮固定するために用いられるものである。
【００２７】
この電線固定具１００は、板状部材１１０と、この板状部材１１０に合成樹脂製のヒモ１２０を介して連結されているクリップ１３０とを有している。ヒモ１２０は連結部材を構成している。なお、このヒモ１２０はコイル状となっていないが、コイル状として伸縮性に富んだものとしてもよい。
【００２８】
クリップ１３０は落下防止用の留め具を構成している。例えば、後述するように、この電線固定具１００を電柱上で使用する場合、クリップ１３０で電線などの適宜な部材を挟んだ状態としておくことで、作業中に板状部材１１０が作業者の手から誤って離れたとしても、落下を防止できる。なお、このクリップ１３０の代わりにいずれか適宜な部材に引っ掛けるようにした鉤状部品等であってもよい。
【００２９】
板状部材１１０は、全体として四角形で、柔軟な材料からなっている。この柔軟な材料としては、例えば、硬質ゴムなどの型くずれしないものが用いられる。この板状部材１１０には、４個の角に対応した位置に、三相４線式の低圧引下線の４線をそれぞれ保持する４個の保持穴１１１ａ〜１１１ｄが形成されている。これら保持穴１１１ａ〜１１１ｄは、それぞれ電線を通した状態で保持するものである。
【００３０】
これら保持穴１１１ａ〜１１１ｄは円形に形成されており、その直径が電線の直径と同じかあるいは若干小さくされる。これにより、当該保持穴１１１ａ〜１１１ｄに通された電線は安定して保持される。なお、これら保持穴１１１ａ〜１１１ｄは必ずしも円形でなくてもよく、三角形、４角形、五角形等の多角形であってもよく、また円形の内部に厚さ方向に伸びる突条が周方向に複数本形成された構造などであってもよい。
【００３１】
また、板状部材１１０には、保持穴１１１ａ〜１１１ｄのそれぞれに周縁部から電線を案内する４個の切り込み１１２ａ〜１１２ｄが形成されている。これら切り込み１１２ａ〜１１２ｄは、それぞれ４個の角から保持穴１１１ａ〜１１１ｄにそれぞれ至るものとされている。これら切り込み１１２ａ〜１１２ｄの幅は保持穴１１１ａ〜１１１ｄに保持される電線の直径に比べて小さくされているが、上述したように板状部材１１０は柔軟な材料からなっているので、当該切り込み１１２ａ〜１１２ｄを用いて電線を保持部１１１ａ〜１１１ｄに案内することが可能である。
【００３２】
また、板状部材１１０には、４個の保持穴１１１ａ〜１１１ｄに対応して、それぞれの保持穴１１１ａ〜１１１ｄに保持すべき電線の相を表示する表示部１１３ａ〜１１３ｄが形成されている。上述したように電線固定具１００は、三相４線式１００Ｖ／２００Ｖの低圧線を構成する４線を一括して仮固定するものである。そこで、表示部１１３ａ〜１１３ｄには、それぞれ動力専用相、共用相、共用相、接地相を示す、文字「力」、「共」、「共」、「接地」が表示されていると共に、色「白色」、「赤色」、「赤色」、「緑色」が表示されている。なお、色の区別は図示されていない。
【００３３】
なお、表示部１１３ａ〜１１３ｄには文字および色の双方を表示する場合だけでなく、その一方のみを表示するようにしてもよい。このように、保持穴１１１ａ〜１１１ｄに保持すべき電線の相を表示する表示部１１３ａ〜１１３ｄが形成されていることで、各相の電線を当該電線固定具１００に仮固定した後、ユーザは各電線の相を容易に識別可能となる。
【００３４】
また、板状部材１１０には、上述した表示部１１３ａ〜１１３ｄの他に、当該板状部材１１０の向きの指標となる「電柱側」の文字を表示した表示部１１４が形成されている。さらに、板状部材１１０には、一端側に把持部１１５が連接されている。三相４線式の低圧線を構成する４線は、電柱に固定された電線支持具に取り付けられる前に、当該板状部材１１０に一括して仮固定される。把持部１１５は、低圧線を構成する４線が電線支持具に取り付けられた後に、当該板状部材１１０を取り外して撤去し易くするために設けられている。
【００３５】
図１に示す電線固定具１００は、上述したように、電柱に固定されている電線支持具に、トランスから引き下げられた三相４線式の低圧線を構成する４線を取り付ける際に、当該４線を一括して仮固定するために用いられる。
【００３６】
図２は、配電柱１５０に電線支持具１６０が固定されている状態を示している。この電線支持具１６０は、上述した特許文献１に記載されている電線支持具２０８（図９、図１０参照）とほぼ同様に構成されている。
【００３７】
すなわち、この電線支持具１６０は、３枚の平板状絶縁板１７１，１７２，１７３と、固定金具１８０と、支柱１９０とを有している。平板状絶縁板１７１，１７２，１７３は、例えば硬質プラスチック製の絶縁材料で形成されており、それぞれの中心付近に各貫通孔が設けられていると共に、それぞれの互いに対向する面に各々２つの電線把持用溝１７４が設けられている。
【００３８】
固定金具１８０は、鉄製の平板をコの字状に屈曲して形成したものであり、基台１８１とそれに連接された当接部１８２からなっている。基台１８１の中央には、自在バンド１５５を通すためのバンド通し部１８３が設けられている。このバンド通し部１８３の長さは、自在バンド１１５の幅に合うようにされている。
【００３９】
支柱１９０は、例えば鉄製の丸棒であり、その一端が固定金具１８０の基台１８１に溶接されて固定され、その他端にナット部１９２と螺合するボルト部１９１が形成されている。また、この支柱１９０の中間にストッパー用の受け金具１７５が溶接されて固定され、各平板状絶縁板１７１，１７２，１７３がこの受け金具１７５に圧接して取り付けられる構成とされている。
【００４０】
この電線支持具１６０は、電線が取り付けられる前には、平板状絶縁板１７１，１７２，１７３の各貫通孔および受け金具１７６の貫通孔、さらにはワッシャ１７７に支柱１９０が挿通され、他端のボルト部１９１にナット部１９２が緩く螺合された状態におかれる。この電線支持具１６０は、使用時には、図２に示すように、配電柱１５０に自在バンド１５５を用いて固定される。そして、ナット部１９２が緩められ、平板状絶縁板１７１，１７２，１７３の間に生じた隙間から各電線把持用溝１７４に三相４線式の低圧線を構成する各相の電線Ｌａ〜Ｌｄが配される。
【００４１】
その後、ボルト部１９１に螺合するナット部１９２が締め付けられ、これらの平板状絶縁板１７１，１７２，１７３は受け金具１７５に向かって圧接され、各電線Ｌａ〜Ｌｄは、１本ずつ各電線把持用溝１７４に配された状態で、平板状絶縁板１７１，１７２，１７３に挟まれて同時に固定される。ここで、電線Ｌａは動力専用相の電線であり、電線Ｌｂ，Ｌｃはそれぞれ共用相の電線であり、Ｌｄは接地相の電線である。
【００４２】
図３Ａは、電線Ｌａ〜Ｌｄを取り付ける前の電線支持具１６０の状態を示しており、図３Ｂは、電線Ｌａ〜Ｌｄを取り付けた後の電線支持具の状態を示している。
【００４３】
図１の電線固定具１００は、上述したように電線支持具１６０に三相４線式の低圧線を構成する各相の電線Ｌａ〜Ｌｄを取り付ける際に補助具として用いられる。この電線固定具１００を用いた電線支持具１６０への電線Ｌａ〜Ｌｄの取り付け方法を説明する。
【００４４】
まず、図４に示すように、電線Ｌａ〜Ｌｄを電線固定具１００に仮固定する。この場合、電線Ｌａ〜Ｌｄはそれぞれ図示しないトランス（図７のトランス２０３，２０４参照）から引き下げられた三相４線式の低圧線（低圧引下線）を構成している。この場合、電線Ｌａ〜Ｌｄは、それぞれ板状部材１１０の保持穴１１１ａ〜１１１ｄに切り込み１１２ａ〜１１２ｄを通して案内されて保持される。
【００４５】
次に、図５に示すように、電線支持具１６０に電線Ｌａ〜Ｌｄを取り付ける。上述したように電線Ｌａ〜Ｌｄが電線固定具１００に仮固定された状態では、この電線固定具１００から下方に伸びる電線Ｌａ〜Ｌｄは、図４に示すように、電線支持具１６０の各取付部（電線把持用溝１７４）に対応してほぼまとまった状態となっている。
【００４６】
電線支持具１６０に電線Ｌａ〜Ｌｄを固定する場合、まずこの電線支持具１６０が自在バンド１５５を用いて配電柱１５０に固定される。そして、ナット部１９２が緩められ、平板状絶縁板１７１，１７２，１７３の間に生じた隙間から各電線把持用溝１７４に三相４線式の低圧線を構成する各相の電線Ｌａ〜Ｌｄが配される。
【００４７】
その後、ボルト部１９１に螺合するナット部１９２が締め付けられ、これらの平板状絶縁板１７１，１７２，１７３は受け金具１７５に向かって圧接され、各電線Ｌａ〜Ｌｄは、１本ずつ各電線把持用溝１７４に配された状態で、平板状絶縁板１７１，１７２，１７３に挟まれて同時に固定される。
【００４８】
次に、図示しないが、電線Ｌａ〜Ｌｄから電線固定具１００が取り外されて撤去される。この場合、電線固定具１００の把持部１１５を把持して作業を行うことで、作業者はその取り外しを容易に行うことができる。
【００４９】
図１に示す電線固定具１００によれば、電線Ｌａ〜Ｌｄを一括して仮固定する場合、それぞれの電線Ｌａ〜Ｌｄを斬り込み１１２ａ〜１１２ｄを通して板状部材１１０の保持穴１１１ａ〜１１１ｄに案内するだけでよく、簡単に行うことができる。
【００５０】
また、図１に示す電線固定具１００によれば、電柱に固定された電線支持具１６０に電線Ｌａ〜Ｌｄを一括して取り付ける際に、当該電線Ｌａ〜Ｌｄを一括して仮固定し、これら電線Ｌａ〜Ｌｄをまとまった状態とでき、当該電線Ｌａ〜Ｌｄを電線支持具１６０に取り付ける作業の手間がかからなくできる。
【００５１】
なお、上述実施の形態においては、電線固定具１００を構成する板状部材１１０が四角形であるものを示したが、この板状部材１１０の形状は四角形に限定されるものでなく、例えば図６に示すように板状部材１１０が円形である電線固定具１００Ａであってもよい。図６において、図１と対応する部分には同一符号を付して示している。
【００５２】
また、上述実施の形態においては、三相４線式の低圧線を構成する電線Ｌａ〜Ｌｄを仮固定する例を示したが、同様の構成で、単相３線式の低圧線を電線支持具１６０に取り付ける際に仮固定できる。
【００５３】
また、上述実施の形態においては、電線固定具１００に固定される電線が、電線支持具１６０に取り付けられる低圧線であるものを示したが、その他で同様に電線を固定することもできる。
【産業上の利用可能性】
【００５４】
この発明は、複数の電線を一括して固定することを簡単に行い得るものであり、例えばトランスからの低圧引下線を配電柱に固定された電線支持具に取り付ける際の仮固定用に適用できる。
【図面の簡単な説明】
【００５５】
【図１】実施の形態としての電線固定具の構成を示す斜視図である。
【図２】電線支持具を説明するための図である。
【図３】電線支持具の、電線取り付け前の状態および電線取り付け後の状態を示す図である。
【図４】電線支持具への取り付け前に行う電線固定具への仮固定を説明するための図である。
【図５】電線固定具への仮固定後に行う電線支持具への取り付けを説明するための図である。
【図６】他の実施の形態としての電線固定具の構成を示す斜視図である。
【図７】架空配電線路の電柱部分の構成例を示す図である。
【図８】電柱部分の結線を示す結線図である。
【図９】配電柱に固定される電線支持具の一例の分解斜視図である。
【図１０】配電柱に固定あれる電線支持具の一例の側面図である。
【符号の説明】
【００５６】
１００，１００Ａ・・・電線固定具、１１１ａ〜１１１ｄ・・・保持穴、１１２ａ〜１１２ｄ・・・切り込み、１１３ａ〜１１３ｄ，１１４・・・表示部、１１５・・・把持部、１２０・・・合成樹脂製のヒモ、１３０・・・クリップ、１５０・・・配電柱、１５５・・・自在バンド、１６０・・・電線支持具
【図１】
2008017619.tif 000003
【図２】
2008017619.tif 000004
【図３】
2008017619.tif 000005
【図４】
2008017619.tif 000006
【図５】
2008017619.tif 000007
【図６】
2008017619.tif 000008
【図７】
2008017619.tif 000009
【図８】
2008017619.tif 000010
【図９】
2008017619.tif 000011
【図１０】
2008017619.tif 000012